(57)【要約】      （修正有）【課題】クイックレリーズやノブ付きボルトの締め付け状態を視覚化することにより、自転車などの機器の安全を向上させる。【解決手段】クイックレリーズ１やノブ付きボルト２をバネ穴１２、台座穴１３を通して締めこむことにより、バネ６がたわみ、台座５の突起物７の支点作用で緑の表示部４は上がり、赤の表示部３を覆う。【効果】これらの表示部から突起物７部分までをカバーするケース１６の一部を透明あるいは覗き穴にすることにより、十分に締め付けられると赤から緑に変化することが三方向から視認出来る。【選択図】図３
2005282846.tif 000002
【特許請求の範囲】
【請求項１】
バネの変形を利用してクイックレリーズやノブ付きボルトおよびボルトの締め付け状態あるいは締め付け力を色や数値で表示する締め付け状態表示器
【請求項２】
バネの変形をスイッチで検知し、視覚的警告だけでなく警告音によっても警告する締め付け状態表示器
【発明の詳細な説明】
【技術分野】自転車のホイールの着脱、シートポストやハンドルの上下および折り畳み自転車の折り畳み部分の固定装置など使用されるクイックレリーズ１や道具なして締め付けるノブ付きボルト２の締め付け状態を表示する技術。
【背景技術】
【０００１】  感圧素子やストレンゲージによりボルトなどの締め付け状態を監視することは出来るが、自転車のような廉価／軽量で万人が取り扱う商品において締め付け状態を監視／表示する方法としては適切でない。【０００２】スプリングワッシャのようなバネのタワミをそのまま利用した技術である。
【特許文献１】実用新案出願平３−１０４６３０
【非特許文献１】ツツミモック「折りたたみ自転車」
【非特許文献１】グループ木馬編「自転車用語ハンドブック」
【発明の開示】
【発明が解決しようとする課題】
【０００４】クイックレバーやノブ付きボルトの締め付け状態を視覚的に表示することにより、締め付け力を視覚的に判断し、使用時の振動で緩んだ場合もユーザーにより対応できる。【０００５】しかし、従来の締め付け方法に対応するためには、信頼性を確保し、かつ極力部品点数を少なくし、コンパクトにする必要があり、以下のような構造とする。スプリングワッシャに相当するバネ６の延長上に緑の表示部４あるいは赤から黄色を経て緑に変化する表示か、あるいは数字で表示、あるいは両者を表示した表示器１０がある。このバネ６と重ねて台座５があり、台座の一方の端はバネ６と〔図５〕のようにバネ６のスロット１１に差し込まれ、その一部のミミ８が折り曲げられバネ６と台座５は緩やかに結合されている。また台座の他方は、バネ６の支点となる突起物７を経て赤の表示した表示器３、あるいは〔図４〕に示したように指針９がある。【０００６】〔図３〕においては、クイックレリーズ１やノブ付きボルト２をバネ穴１２、台座穴１３を通して締めこむことにより、バネ６がたわみ、台座５の突起物７の支点作用で緑の表示部４は上がり、赤の表示部３を覆う。これらの表示部から突起物７部分までをカバーするケース１６の一部を透明あるいは覗き穴にすることにより、十分に締め付けられると赤から緑に変化することが図面の手前、左側、向こう側の三方向から視認出来る。【０００７】〔図４〕においては、上記と同様の動作をするが、台座５の先端に設けられた四角か丸型の指針９により、赤から黄色を経て緑に変化する表示か、あるいは数字で表示、あるいは両者を表示した表示器１０との相対位置が三方向から確認できる。一部を透明あるいは覗き穴にして表示部から突起物７部分までをカバーするケース１６を用意することにより破損や汚れを防止することが出来る。また、指針９の変わりにケース１６の透明な覗き穴に指針を印刷や掘り込みなどの方法で表示することも出来る。【０００８】この締め付け状態表示器は、十分にコンパクトで軽量のためケース１６あるいは台座５に両面テープや接着剤等により締め付ける対象物に取り付けることが出来、取り付け角度も三方向から視認出来るため角度に自由が確保され、ノブやクイックレリーズの邪魔にならないように取り付けることが出来る。【０００９】締め付け力は締め付け場所により異なるため、これらに対応した締め付け状態表示器がバネの強さの選択により製造／装着される。このため、ケース１６には、適正締め付け力の表示を行う。【００１０】また、緑の表示器４、表示器１０の移動に伴いバネ６に設けられたスイッチ接点Ｂと台座５に設けられたスイッチ接点Ａが接触する。この接触が断たれた時に警告音を発生することも出来る。
【発明の効果】
【００１１】本発明は、締め付け不完全な状態における事故を防止することができる。【００１２】また、締め付け力を視覚的に表示することにより、これらのバネ６は必要な締め付け力に対応して製作／選択されたものをメーカーあるいは販売店で装着される。この結果、締め付ける強さを視覚的に適正化でき、締め付け不十分や締め付け過ぎが回避できる。
【実施例】
【産業上の利用可能性】
【００１３】本発明は、自転車以外に締め付け状態を視認したい部分を持つ機器全般に応用できる。
【図面の簡単な説明】
【図面１】
クイックレリーズの締め付け状態断面図
【図面２】
ノブ付きボルトの締め付け状態断面図
【図面３】
締め付け状態表示器案の断面図Ａ
【図面４】
締め付け状態表示器案の断面図Ｂ
【図面５】
締め付け状態表示器案の断面Ｂの斜視図
【図面３】
締め付け状態表示器案の断面Ｂのケース図
【符号の説明】
１  クイックレリーズ        ２  ノブ付きボルト          ３  赤の表示器
４  緑の表示器              ５  台座                    ６  バネ
７  突起物                  ８  ミミ                    ９  指針
１０  表示器                １１  スロット              １２  バネ穴
１３  台座穴                １４  スイッチ接点Ａ        １５  スイッチ接点Ａ
１６  ケース
【図１】
2005282846.tif 000003
【図２】
2005282846.tif 000004
【図３】
2005282846.tif 000005
【図４】
2005282846.tif 000006
【図５】
2005282846.tif 000007
【図６】
2005282846.tif 000008
【手続補正書】
【提出日】平成16年5月28日(2004.5.28)
【手続補正３】
【補正対象書類名】明細書
【補正対象項目名】全文
【補正方法】変更
【補正の内容】
【発明の詳細な説明】
【技術分野】自転車のホイールの着脱、シートポストやハンドルの上下および折り畳み自転車の折り畳み部分の固定装置など使用されるクイックレリーズ１や道具なして締め付けるノブ付きボルト２の締め付け状態を表示する技術。
【背景技術】
【０００１】  感圧素子やストレンゲージによりボルトなどの締め付け状態を監視することは出来るが、自転車のような廉価／軽量で万人が取り扱う商品において締め付け状態を監視／表示する方法としては適切でない。【０００２】スプリングワッシャのようなバネのタワミをそのまま利用した技術である。
【特許文献１】実用新案出願平３−１０４６３０
【非特許文献１】ツツミモック「折りたたみ自転車」
【非特許文献１】グループ木馬編「自転車用語ハンドブック」
【発明の開示】
【発明が解決しようとする課題】
【０００３】クイックレバーやノブ付きボルトの締め付け状態を視覚的に表示することにより、締め付け力を視覚的に判断し、使用時の振動で緩んだ場合もユーザーにより対応できる。【０００４】しかし、従来の締め付け方法に対応するためには、信頼性を確保し、かつ極力部品点数を少なくし、コンパクトにする必要があり、以下のような構造とする。スプリングワッシャに相当するバネ６の延長上に緑の表示部４あるいは赤から黄色を経て緑に変化する表示か、あるいは数字で表示、あるいは両者を表示した表示器１０がある。このバネ６と重ねて台座５があり、台座の一方の端はバネ６と〔図５〕のようにバネ６のスロット１１に差し込まれ、その一部のミミ８が折り曲げられバネ６と台座５は緩やかに結合されている。また台座の他方は、バネ６の支点となる突起物７を経て赤の表示した表示器３、あるいは〔図４〕に示したように指針９がある。【０００５】〔図３〕においては、クイックレリーズ１やノブ付きボルト２をバネ穴１２、台座穴１３を通して締めこむことにより、バネ６がたわみ、台座５の突起物７の支点作用で緑の表示部４は上がり、赤の表示部３を覆う。これらの表示部から突起物７部分までをカバーするケース１６の一部を透明あるいは覗き穴にすることにより、十分に締め付けられると赤から緑に変化することが図面の手前、左側、向こう側の三方向から視認出来る。【０００６】〔図４〕においては、上記と同様の動作をするが、台座５の先端に設けられた四角か丸型の指針９により、赤から黄色を経て緑に変化する表示か、あるいは数字で表示、あるいは両者を表示した表示器１０との相対位置が三方向から確認できる。一部を透明あるいは覗き穴にして表示部から突起物７部分までをカバーするケース１６を用意することにより破損や汚れを防止することが出来る。また、指針９の変わりにケース１６の透明な覗き穴に指針を印刷や掘り込みなどの方法で表示することも出来る。【０００７】この締め付け状態表示器は、十分にコンパクトで軽量のためケース１６あるいは台座５に両面テープや接着剤等により締め付ける対象物に取り付けることが出来、取り付け角度も三方向から視認出来るため角度に自由が確保され、ノブやクイックレリーズの邪魔にならないように取り付けることが出来る。【０００８】締め付け力は締め付け場所により異なるため、これらに対応した締め付け状態表示器がバネの強さの選択により製造／装着される。このため、ケース１６には、適正締め付け力の表示を行う。【０００９】また、緑の表示器４、表示器１０の移動に伴いバネ６に設けられたスイッチ接点Ｂと台座５に設けられたスイッチ接点Ａが接触する。この接触が断たれた時に警告音を発生することも出来る。
【発明の効果】
【００１０】本発明は、締め付け不完全な状態における事故を防止することができる。【００１１】また、締め付け力を視覚的に表示することにより、これらのバネ６は必要な締め付け力に対応して製作／選択されたものをメーカーあるいは販売店で装着される。この結果、締め付ける強さを視覚的に適正化でき、締め付け不十分や締め付け過ぎが回避できる。
【実施例】
【００１２】
【産業上の利用可能性】本発明は、自転車以外に締め付け状態を視認したい部分を持つ機器全般に応用できる。
【図面の簡単な説明】
【００１３】
【図面１】
クイックレリーズの締め付け状態断面図
【図面２】
ノブ付きボルトの締め付け状態断面図
【図面３】
締め付け状態表示器案の断面図Ａ
【図面４】
締め付け状態表示器案の断面図Ｂ
【図面５】
締め付け状態表示器案の断面Ｂの斜視図
【図面６】
締め付け状態表示器案の断面Ｂのケース側面図
【符号の説明】
【００１４】１  クイックレリーズ        ２  ノブ付きボルト          ３  赤の表示器
４  緑の表示器              ５  台座                    ６  バネ
７  突起物                  ８  ミミ                    ９  指針
１０  表示器                １１  スロット              １２  バネ穴
１３  台座穴                １４  スイッチ接点Ａ
１５  スイッチ接点Ａ        １６  ケース